(57)【特許請求の範囲】
【請求項１】
配信装置からサーバを経てそれぞれのローカルエリア内の複数の受信装置に対して放送形式でＭＰＥＧ−ＡＵＤＩＯ符号化データを配信するシステムにおいて、
前記サーバに、配下のローカルエリアにおける受信装置の処理能力を表す値を設定することができる設定手段と、該設定値を検出することができる検出手段と、ＭＰＥＧ−ＡＵＤＩＯ符号化データのフレームを分解することができるフレーム分解手段と、フレームデータの帯域を段階的に制限することができる帯域制限手段とを備え、
配信装置からＭＰＥＧ−ＡＵＤＩＯ符号化データを配信されたとき、サーバがそれぞれの受信装置からの個別の配信要求を認識し、該配信要求のあった受信装置に対する前記設定値を検出して、該設定値に応じて前記帯域制限手段においてＭＰＥＧ−ＡＵＤＩＯ符号化データの帯域を制限して該受信装置に配信することを特徴とするＭＰＥＧ−ＡＵＤＩＯ復号処理方式。
【請求項２】
配信装置からサーバを経てそれぞれのローカルエリア内の複数の受信装置に対して放送形式でＭＰＥＧ−ＡＵＤＩＯ符号化データを配信するシステムにおいて、
各受信装置に、受信装置の処理能力を所定の値として認識することができる処理能力認識手段と、ＭＰＥＧ−ＡＵＤＩＯ復号処理時の合成フィルタを段階的に帯域制限した複数の合成フィルタから構成してなる合成フィルタ処理手段とを備え、
配信装置からＭＰＥＧ−ＡＵＤＩＯ符号化データを配信されたとき、各受信装置が該認識された処理能力に応じて前記合成フィルタ処理手段における帯域制限を行って、ＭＰＥＧ−ＡＵＩＯ復号の処理を行うことを特徴とするＭＰＥＧ−ＡＵＤＩＯ復号処理方式。
【発明の詳細な説明】
【０００１】
【発明の属する技術分野】
本発明は、ＭＰＥＧ−ＡＵＤＩＯ符号化方式の復号処理に関し、特に放送型システムに適用した場合の、ＭＰＥＧ−ＡＵＤＩＯ復号処理方式に関するものである。
【０００２】
ＶＯＤ（Video On Demand ）方式の応用として、双方向でビデオや音声の送受信が可能な、双方向マルチメディアサービスが考えられているが、現状では、このような大規模なシステムを普及させることは、コストの制約上困難である。そこで、既存の通信網と、ＬＡＮ（Local Area Network）を利用した場合のコスト面での優位性から、ＬＡＮをベースとした放送型の Near VOD が主流になるものと考えられる。
【０００３】
本発明は、主として Near VOD のようなマルチメディアサービスにおいて、配信装置とＬＡＮサーバ間で放送型接続（１：ｎ接続）を適用し、ＬＡＮサーバから、数十ユーザを対象としたＬＡＮをベースとした装置で、さまざまなデータ配信サービスを可能にするシステムにおいて、符号化方式としてＭＰＥＧ符号化方式を適用した場合に、受信装置としてパソコン等のような汎用ＭＰＵを用い、ソフトウェア処理によってＭＰＥＧ−ＡＵＤＩＯ復号処理を行う場合の、復号処理方式を提供するものである。
【０００４】
【従来の技術】
図１０は、ＬＡＮをベースとした放送型システムの構成を示したものである。図示のように、配信装置１から、回線網２を経て、複数のローカルエリア１，２，…，Ｎのサーバ３に接続し、サーバ３からそれぞれ複数の受信装置４に対してデータ配信を行う。
【０００５】
従来のＭＰＥＧサービスの形態としては、ＣＤ−Ｒ０Ｍ等の蓄積装置に、予めＭＰＥＧ符号化データとして保存したものを提供し、ユーザがパソコン等に再生専用のＭＰＥＧデコーダ（復号化）ボード（デコード用専用ＬＳＩやＤＳＰを実装したもの）を搭載し、このボードによって符号化データを復号して、再生された音声信号を出力装置（スピーカ等）によって、出力する方法が一般的である。
【０００６】
マルチメディア通信網が整備されるとともに、上述のような蓄積型のサービスだけでなく、通信回線を利用した放送型のサービス形態が現実のものとなってきた。また、汎用のＭＰＵの処理能力の向上とともに、ＭＰＥＧ符号化方式における、音声の符号化方式であるＭＰＥＧ−ＡＵＤＩＯ符号化方式の復号処理を、コストの制約上、パソコン等の汎用ＭＰＵを搭載した受信装置によって処理することが可能となってきた。
【０００７】
ここで、ＭＰＥＧ−ＡＵＤＩＯ符号化方式は、２０ｋHz帯域の音声（音響）信号を圧縮符号化するアルゴリズムであって、一般的には、音声信号を符号化データに変換することによって圧縮して出力する符号器と、この符号化データを復号して音声信号を再生する復号器とから構成される。
【０００８】
図１１は、ＭＰＥＧ−ＡＵＤＩＯ復号装置の概略構成を示したものである。図中、１０１はフレーム分解部であって、フレーム構成されている符号化データを、各フレームでサンプルごとに意味のある個々のデータに分解する。１０２は逆スケーリング部であって、符号器で正規化されたスケーリングファクタの逆スケーリングを行う。
【０００９】
１０３は逆量子化部であって、符号器で量子化された量子化データについて、逆量子化の処理を行う。１０４は合成フィルタ部であって、符号器において周波数領域で複数の帯域に分割して処理されたサンプルデータの合成処理を行う。１０５は高域強調処理部であって、聴感上の音質向上の効果がある高域強調の処理を行う。
【００１０】
従来は、ＭＰＥＧ−ＡＵＤＩＯ復号処理をパソコンのＭＰＵで処理させるためには、高速処理が可能な受信装置を用意する必要があり、既存の処理能力の小さい受信装置の場合は、画像処理と音声処理とを含めた、ＭＰＥＧ復号専用のボードを用意する必要があった。
【００１１】
【発明が解決しようとする課題】
ＭＰＥＧ符号化方式を、ＬＡＮをベースとした放送型システムに適用した場合の、ＭＰＥＧ−ＡＵＤＩＯの復号処理方法に関しては、処理能力の小さい受信装置の場合には、音声専用のハードウェアを搭載する必要があるという、コスト上の問題がある。また処理能力の大きい受信装置で、ＭＰＥＧ−ＡＵＤＩＯ復号処理を行う場合にも、パソコンのような汎用ＭＰＵで処理する場合には、他のアプリケーションの処理上の負荷が一時的に増加したときの、音質の低下が問題となる。
【００１２】
本発明は、このような従来技術の課題を解決しようとするものであって、ＬＡＮをベースとする放送型の配信装置システムに、ＭＰＥＧ符号化方式を適用した場合の、ＭＰＥＧ−ＡＵＤＩＯ符号化方式における復号方法を工夫することによって、安価なシステムを構成することが可能なようにするとともに、また受信装置において、他のアプリケーションと復号処理とを並列処理する場合の、音質の低下を防止できる、ＭＰＥＧ−ＡＵＤＩＯ復号処理方式を提供することを目的としている。
【００１３】
【課題を解決するための手段】
ＭＰＥＧ−ＡＵＤＩＯ復号処理は、大きく分けると、フレーム分解部と、合成フィルタを含めた復号合成処理部とからなる。本発明の復号処理方式は、サーバが、ＭＰＥＧ−ＡＵＤＩＯ復号処理の一部を、使用する受信装置の処理能力に応じて分担処理し、また、受信装置に搭載されるソフトウェアを改良して処理方法を変更することによって、受信装置の処理量を減少させて、処理能力の低い現行の端末でも、新たなハードウェアを追加することなく、他の加入者と同等のサービスを受けることができるようにするとともに、ＭＰＵの負荷が大きい場合の、音質の低下を防止するものである。
【００１４】
以下、本発明の課題を解決するための具体的手段とその作用を記述する。
【００１５】
(1) 配信装置１から一または複数のＬＡＮサーバ３を経てそれぞれのローカルエリア内の複数の受信装置４に対して放送形式でＭＰＥＧ符号化データを配信するシステムの場合に、ＬＡＮサーバ３に、配下のローカルエリアにおける受信装置の処理能力を表す値を設定することができる設定手段１１と、この設定値を検出することができる検出手段１２とを備える。そして、配信装置１からＭＰＥＧ符号化データを配信されたとき、設定値を検出して、設定値に応じて定まる区分でＭＰＥＧ−ＡＵＤＩＯ復号処理の一部を、ＬＡＮサーバ３において処理することによって、ＭＰＥＧ−ＡＵＤＩＯ復号処理を、ＬＡＮサーバ３と受信装置４とにおいて分担して処理するようにする。
【００１６】
(2) 配信装置１から一または複数のＬＡＮサーバ３を経てそれぞれのローカルエリア内の複数の受信装置４に対して放送形式でＭＰＥＧ符号化データを配信するシステムの場合に、ＬＡＮサーバ３に、配下のローカルエリア内の各受信装置の処理能力を表す値を設定することができる設定手段１１と、この設定値を検出することができる検出手段１２とを備える。そして、配信装置１からＭＰＥＧ符号化データを配信されたとき、ＬＡＮサーバ３がそれぞれの受信装置からの個別の配信要求を認識し、受信装置に対する設定値を検出して、設定値に応じて定まる区分でＭＰＥＧ−ＡＵＤＩＯ復号処理の一部を、ＬＡＮサーバ３において処理することによって、ＭＰＥＧ−ＡＵＤＩＯ復号処理を、ＬＡＮサーバ３と受信装置４とにおいて分担して処理するようにする。
【００１７】
(3) 配信装置１から一または複数のＬＡＮサーバ３を経てそれぞれのローカルエリア内の複数の受信装置４に対して放送形式でＭＰＥＧ符号化データを配信するシステムの場合に、各受信装置４に、受信装置の処理能力を所定の値として認識することができる処理能力認識手段１４を備えるとともに、各ＬＡＮサーバ３に、配下のローカルエリア内の各受信装置において認識された処理能力を表す値を設定することができる設定手段１１と、この設定値を検出することができる検出手段１２とを備える。そして、配信装置１からＭＰＥＧ符号化データを配信されたとき、ＬＡＮサーバ３がそれぞれの受信装置からの個別の配信要求を認識し、受信装置に対する設定値を検出して、設定値に応じて定まる区分でＭＰＥＧ−ＡＵＤＩＯ復号処理の一部を、ＬＡＮサーバ３において処理することによって、ＭＰＥＧ−ＡＵＤＩＯ復号処理を、ＬＡＮサーバ３と受信装置４とにおいて分担して処理するようにする。
【００１８】
(4) 配信装置１から一または複数のＬＡＮサーバ３を経てそれぞれのローカルエリア内の複数の受信装置４に対して放送形式でＭＰＥＧ符号化データを配信するシステムの場合に、各ＬＡＮサーバ３に、各受信装置４の処理能力を所定の値として認識することができる処理能力認識手段１５と、この認識された処理能力を表す値を設定することができる設定手段１１と、設定値を検出することができる検出手段１２とを備える。そして、配信装置１からＭＰＥＧ符号化データを配信されたとき、ＬＡＮサーバがそれぞれの受信装置からの個別の配信要求を認識し、受信装置に対する設定値を検出して、この設定値に応じて定まる区分でＭＰＥＧ−ＡＵＤＩＯ復号処理の一部を、ＬＡＮサーバ３において処理することによって、ＭＰＥＧ−ＡＵＤＩＯ復号処理を、ＬＡＮサーバ３と受信装置４とにおいて分担して処理するようにする。
【００１９】
このように、(1) 〜(4) の場合は、サーバが、設定された数値（符号）に応じてＭＰＥＧ−ＡＵＤＩＯ復号処理の一部を分担処理するので、処理能力の小さい受信装置の場合でも、専用のハードウェアを搭載する等の必要がなく、安価な装置によって、所要の処理を行うことができるようになる。
【００２０】
(5) (1) 〜(4) の場合に、各ＬＡＮサーバ３に、ＭＰＥＧ−ＡＵＤＩＯ符号化データのフレームを分解することができるフレーム分解手段１６と、フレームデータの帯域を段階的に制限することができる帯域制限手段１７とを備える。そして、受信装置１からＭＰＥＧ符号化データを配信されたとき、ＬＡＮサーバ３がそれぞれの受信装置からの個別の配信要求を認識し、配信要求のあった受信装置に対する設定値を検出して、この設定値に応じて帯域制限手段においてＭＰＥＧ符号化データの帯域を制限して、受信装置に配信するようにする。
【００２１】
このように、(5) の場合は、サーバにおいて、ＭＰＥＧ符号化データを帯域制限して配信するので、受信装置における処理負荷を減少させることができ、従って処理能力の低い受信装置でも復号可能になるとともに、受信装置における処理量を少なくするので、他の処理負荷がある場合の、音質低下を防止することができるようになる。
【００２２】
(6) (1) 〜(4) の場合に、各受信装置４に、受信装置の処理能力を所定の値として認識することができる処理能力認識手段１４と、ＭＰＥＧ−ＡＵＤＩＯ復号処理時の合成フィルタを段階的に帯域制限した複数の合成フィルタから構成してなる合成フィルタ処理手段１８とを備える。そして、配信装置１からＭＰＥＧ符号化データを配信されたとき、各受信装置４が認識された処理能力に応じて合成フィルタ処理手段１８における帯域制限を行って、ＭＰＥＧ−ＡＵＤＩＯ復号の処理を行うようにする。
【００２３】
このように、(6) の場合は、受信装置において、ＭＰＥＧ符号化データを最適の状態に帯域制限して復号処理を行うので、処理能力の低い受信装置でも復号可能になるとともに、他の処理負荷がある場合の、音質低下を防止することができる。
【００２４】
(7) (1) 〜(4) の場合に、各受信装置４に、ＭＰＥＧ−ＡＵＤＩＯ復号処理時の複数の合成フィルタを段階的に帯域制限した複数の合成フィルタから構成してなる合成フィルタ処理手段１８と、ＭＰＥＧ−ＡＵＤＩＯ復号処理を監視してフレーム内で復号処理できないフレーム番号を検出するフレーム検出手段１９とを備える。そして、配信装置１からＭＰＥＧ符号化データを配信されたとき、受信装置４が、フレーム内で復号処理できないフレームを検出したときは、合成フィルタ処理手段１８における帯域制限を行って、この制限された帯域によって復号処理を行うようにする。
【００２５】
このように、(7) の場合は、受信装置において、ＭＰＥＧ符号化データを最適の状態に帯域制限して復号処理を行うので、処理能力の低い受信装置でも復号可能になるとともに、他の処理負荷がある場合の、音質低下を防止することができる。
【００２６】
(8)(7)の場合に、合成フィルタ処理手段１８において帯域を制限した場合に、引き続きフレーム検出手段１９においてＭＰＥＧ−ＡＵＤＩＯ復号処理を監視して、合成フィルタ処理手段１８において帯域制限を行う前の状態を検出したとき、合成フィルタ処理手段１８における帯域制限の処理を解除するようにする。
【００２７】
ＭＰＥＧ符号化データを帯域制限して復号処理を行う場合、再生音質が低下することを避けられないので、不必要な場合は帯域制限しないことが望ましい。(8) の場合は、必要なときのみ帯域制限し、必要ないときは帯域制限を解除できるので、常に最善の音質を維持することができる。
【００２８】
【発明の実施の形態】
図１は、本発明の実施形態(1) を示したものである。図中、サーバ３において、１１は設定手段、１２は検出手段、１３はＣＰＵおよびメモリである。４1,４2,…, ４N は各ローカルエリアの受信装置である。
【００２９】
図１に示す、各ローカルエリアの受信装置４1,４2,…, ４N において、それぞれの受信装置の処理能力が、ＭＰＵ（Micro Processor Unit）の処理能力から、同等と判断できる場合には、予め、各サーバ３の設定手段１１に、受信装置の処理能力を表す数値（符号）を設定しておく。
【００３０】
任意の時間に、ローカルエリア内の任意の受信装置から配信要求があったとき、検出手段１２によって、設定手段１１に設定されている数値（符号）を検出することによって、受信装置の処理能力に応じて、ＭＰＥＧ−ＡＵＤＩＯ符号化方式の復号処理の一部を、サーバ内において処理して、処理されたＭＰＥＧデータを各受信装置に配信する。この際、ＣＰＵおよびメモリ１３は、サーバ３の行う一般的処理および本発明方式において必要となる制御の処理を行う。
【００３１】
例えば、ＭＰＥＧ−ＡＵＤＩＯ符号化方式における復号処理は、その処理を大別すると、“フレーム分解部”，“逆スケーリング部”，“逆量子化部”，“合成フィルタ部”，“高域強調処理部”に分割できるので、これらにそれぞれある数値( 符号) を割り当てて、設定手段１１に設定する。
【００３２】
図２は、本発明の実施形態(2) を示したものであって、図中、図１の場合と同じものを同じ番号で示している。
【００３３】
図２に示す、各ローカルエリアの受信装置４1,４2,…, ４N において、それぞれの受信装置の処理能力が、ＭＰＵの処理能力から、異なっていると判断できる場合には、予め、各サーバ３の設定手段１１に、各受信装置４1,４2,…, ４N の処理能力を表す数値（符号）を設定しておく。処理能力を示す値の設定は、受信装置からの配信要求時に設定してもよい。
【００３４】
任意の時間に、ローカルエリア内の任意の受信装置から配信要求があったとき、検出手段１２によって、設定手段１１に設定されている数値（符号）を検出することによって、ＭＰＥＧ−ＡＵＤＩＯ符号化方式の復号処理の一部を、サーバ内において処理して、処理されたＭＰＥＧデータを各受信装置に配信する。
【００３５】
図３は、本発明の実施形態(3) を示したものであって、図中、図１の場合と同じものを同じ番号で示し、１４は、各受信装置内に設けられた処理能力認識手段である。
【００３６】
図３において、サーバは、ローカルエリアの受信装置４1,４2,…, ４N の処理能力を、各受信装置内にある処理能力認識手段１４によって自動的に認識し、この認識した値を数値（符号）化して、サーバ３内に設定する。この場合におけるサーバへの設定時期は任意である。
【００３７】
任意の時間にローカルエリア内の任意の受信装置から配信要求があったときは、サーバ３は、受信装置ごとに検出手段１２によって、設定手段１１に設定されている数値（符号）を検出することによって、ＭＰＥＧ−ＡＵＤＩＯ符号化方式の復号処理の一部を、サーバ内において処理して、処理されたＭＰＥＧデータを各受信装置に配信する。
【００３８】
図４は、本発明の実施形態(4) を示したものであって、図中、図１の場合と同じものを同じ番号で示し、１５は、サーバ３内に設けられた、各受信装置に対応する処理能力認識手段である。
【００３９】
図４において、サーバ３は、ローカルエリアの受信装置４1,４2,…, ４N の処理能力を、サーバ内の処理能力認識手段１５によって自動的に認識し、この認識した値を数値（符号）化して、サーバ内の設定手段１１に設定する。この場合における、サーバの認識手段による、受信装置の処理能力の認識と設定の時期は任意である。
【００４０】
任意の時間にローカルエリア内の任意の受信装置から配信要求があったときは、サーバ３は、受信装置ごと、設定手段１１に設定されている数値（符号）を検出することによって、ＭＰＥＧ−ＡＵＤＩＯ符号化方式の復号処理の一部を、サーバ内において処理して、処理されたＭＰＥＧデータを各受信装置に配信する。
【００４１】
図５は、本発明の実施形態(5) を示したものであって、図中、図１の場合と同じものを同じ番号で示し、１６はサーバ３内に設けられたフレーム分解手段、１７は帯域制限手段である。
【００４２】
実施形態(5) においては、実施形態(1) 〜(4) の場合における、復号処理の分担の具体的方法として、サーバ３において、ＭＰＥＧ符号化データ配信時に、フレーム分解手段１６によって、フレーム分解を行ない、設定手段１１に設定された設定値に従って、帯域制限手段１７によって、帯域制限を行ったデータを配信する。
【００４３】
ＭＰＥＧ−ＡＵＤＩＯ符号化方式においては、時間軸上の音声信号を周波数領域に変換し、複数の周波数帯域に分割して処理を行う。この処理は、ポリフェーズ・フィルタバンクによって実現している。
【００４４】
図６は、ポリフェーズ・フィルタバンクを説明するものであって、ＢＰＦ0,ＢＰＦ1,…, ＢＰＦn はそれぞれバンドパスフィルタを示し、ＢＰＦ0,ＢＰＦ1,…, ＢＰＦn はそれぞれ、時間軸上の入力信号に対して、周波数軸上において、帯域０，１，…，ｎのサンプルデータを選択的に抽出する。復号器においては、合成フィルタ処理として、この逆の処理を行う。
【００４５】
実施形態(5) における帯域制限手段１７は、ポリフェーズ・フィルタバンクによって、複数の帯域のサンプルデータに変換された信号を、復号器の合成フィルタ（ポリフェーズ・フィルタバンクの逆の処理を行うもの）によって、逆の処理を行う際に、図６に示されたＢＰＦの数を制限して段階的に帯域制限を行う、複数の合成フィルタを設定し、設定手段１１に設定された設定値を参照して、所望の合成フィルタを用いて復号処理を行うものである。
【００４６】
図７は、本発明の実施形態(6) を示したものであって、図中、図３の場合と同じものを同じ番号で示し、１８は各受信装置に設けられた合成フィルタ処理手段である。
【００４７】
各受信装置に備えられた処理能力認識手段１４によって、自装置の処理能力を認識し、段階的に帯域制限されている複数の合成フィルタからなる合成フィルタ処理手段１８において、最適となる合成フィルタを選択して復号処理を行う。
【００４８】
実施形態(6) においては、合成フィルタ処理手段１８におけるＢＰＦの数を任意に制限して段階的に帯域制限した合成フィルタを複数設定し、設定手段１１に設定された設定値を参照して、最適の帯域となる合成フィルタを用いて復号処理を行うものである。
【００４９】
図８は、本発明の実施形態(7) を示したものであって、図中、図７の場合と同じものを同じ番号で示し、１９は各受信装置に設けられたフレーム検出手段である。
【００５０】
各受信装置に設けられたフレーム検出手段１９によって、フレーム内で処理できないと判断されるフレーム番号を検出し、そのフレームでの処理を、実施形態(6) の場合と同様に、ＢＰＦの数を任意に制限して段階的に帯域制限した合成フィルタを複数設定した合成フィルタ処理手段１８によって、設定手段１１に設定された設定値を参照して、最適の帯域となる合成フィルタを用いて復号処理を行うものである。
【００５１】
図９は、本発明の実施形態(8) を示したものであって、図中、図８の場合と同じものを同じ番号で示している。
【００５２】
実施形態(8) においては、実施形態(7) におけるフレーム検出手段１９によって、合成フィルタ処理手段１８において帯域を制限した場合に、引き続きフレーム検出手段１９において、ＭＰＥＧ−ＡＵＤＩＯ復号処理を監視し、合成フィルタ処理手段１８において、帯域制限する前の状態を検出したとき、合成フィルタ処理手段１８における処理を解除する。
【００５３】
【発明の効果】
以上説明したように本発明によれば、ＬＡＮをベースとした放送型システムにＭＰＥＧ符号化方式を適用した場合に、サーバが、ＭＰＥＧ−ＡＵＤＩＯ復号処理の一部を、使用する受信装置に応じて分担処理し、また、受信装置における処理方法を改善することによって、受信装置の処理量を減少させて、処理能力の低い現行の端末でも、新たなハードウェアを追加することなく、他の加入者と同等のサービスを受けることができるようにするとともに、ＭＰＵの負荷が大きい場合の、音質の低下を防止することができる。
【図面の簡単な説明】
【図１】本発明の実施形態(1) を示す図である。
【図２】本発明の実施形態(2) を示す図である。
【図３】本発明の実施形態(3) を示す図である。
【図４】本発明の実施形態(4) を示す図である。
【図５】本発明の実施形態(5) を示す図である。
【図６】ポリフェーズ・フィルタバンクを説明する図である。
【図７】本発明の実施形態(6) を示す図である。
【図８】本発明の実施形態(7) を示す図である。
【図９】本発明の実施形態(8) を示す図である。
【図１０】ＬＡＮをベースとした放送型システムの構成を示す図である。
【図１１】ＭＰＥＧ−ＡＵＤＩＯ復号装置の概略構成を示す図である。
【符号の説明】
３  サーバ
４  受信装置
１１  設定手段
１２  検出手段
１３  ＣＰＵおよびメモリ
１４  処理能力認識手段
１５  処理能力認識手段
１６  フレーム分解手段
１７  帯域制限手段
１８  合成フィルタ処理手段
１９  フレーム検出手段
【図１】
0003849103.tif 000002
【図２】
0003849103.tif 000003
【図３】
0003849103.tif 000004
【図４】
0003849103.tif 000005
【図５】
0003849103.tif 000006
【図６】
0003849103.tif 000007
【図７】
0003849103.tif 000008
【図８】
0003849103.tif 000009
【図９】
0003849103.tif 000010
【図１０】
0003849103.tif 000011
【図１１】
0003849103.tif 000012